(57)【特許請求の範囲】
【請求項１】
絶縁性フィルムの一面に導電性を有する導電層が形成された導電フィルム帯と、この導電フィルム帯の両端を導電層を外側にして折り返す際に、内側に位置する絶縁性フィルム同士を密着させる両面接着テープと、両端が折り返された導電フィルム帯の表裏両面をカバーする絶縁性を有する保護フィルム帯とを具備しており、前記両面接着テープの端部は、導電フィルム帯の内側端部より折り返し端面側に位置し、前記保護フィルム帯は、絶縁性フィルム帯の折り返された両端の外側一部をカバーしていないことを特徴とするアースストラップ。
【請求項２】
前記保護フィルムでカバーされていない導電フィルム帯の外側一部にはネジ孔が開設されていることを特徴とする請求項１記載のアースストラップ。
【請求項３】
前記ネジ孔は、当該ネジ孔を貫通するネジのワッシャーの端面が、導電フィルム帯を折り返す際の折り返し端面より内側になる位置に開設されていることを特徴とする請求項２記載のアースストラップ。
【発明の詳細な説明】
【技術分野】
【０００１】
本発明は、電子機器の金属フレームとプリント基板との間を接続し、伝導ノイズをグランディングするアースストラップに関する。
【背景技術】
【０００２】
この種のアースストラップとしては、細い導線を編み合わせた編導線と、該編導線を被覆した状態で熱収縮させることにより、上記編導線を圧縮保持する熱収縮テープとを有するものがある（実公平０７−０５１６９３号公報）。
また、他のアースストラップとしては、薄い金属板で形成され、細幅をした導電部の少なくとも一端に幅寸法が大きい圧着部を有するフラット導電体と、前記フラット導電体の前記導電部を被覆する絶縁被覆とを備える被覆電線であって、前記圧着部にはネジ取付穴が開口され、前記絶縁被覆は長さ方向の端部が前記ネジ取付穴に近接ないし接する位置まで延長されているものである（特開２００７−２９９６５９号公報）。
【０００３】
【特許文献１】実公平０７−０５１６９３号公報
【特許文献２】特開２００７−２９９６５９号公報
【発明の開示】
【発明が解決しようとする課題】
【０００４】
この種のアースストラップは、例えば、液晶テレビに使用されており、非常に狭い隙間を折り曲げられた状態で縫うように通されている。このため、優れた周波数特性はもちろんのこと、高屈曲性を要求されている。
編導線を有するタイプのものは、高周波特性には優れているが、耐屈曲性に乏しいという問題点がある。
また、薄い金属板を有するタイプのものは、編導線タイプより耐屈曲性は改善されているが、高屈曲性を有しているとまではいえないのが現状である。
【０００５】
本発明は、上記事情に鑑みて創案されたもので、高い屈曲性を有し確実な導通（グランディングを）を確保することができるアースストラップを提供することを目的としている。
【課題を解決するための手段】
【０００６】
本発明に係るアースストラップは、絶縁性フィルムの一面に導電性を有する導電層が形成された導電フィルム帯と、この導電フィルム帯の両端を導電層を外側にして折り返す際に、内側に位置する絶縁性フィルム同士を密着させる両面接着テープと、両端が折り返された導電フィルム帯の表裏両面をカバーする絶縁性を有する保護フィルム帯とを備えており、前記両面接着テープの端部は、導電フィルム帯の内側端部より折り返し端面側に位置し、前記保護フィルム帯は、絶縁性フィルム帯の折り返された両端の外側一部をカバーしていない。
【０００７】
前保護フィルム帯でカバーされていない導電フィルム帯の外側一部にはネジ孔が開設されている。
【０００８】
前記ネジ孔は、当該ネジ孔を貫通するネジのワッシャーの縁部が、導電フィルム帯を折り返す際の折り返し端面より内側になる位置に開設されている。
【発明の効果】
【０００９】
本発明に係るアースストラップは、絶縁性フィルムに導電層を形成した導電フィルムを導電層が外側になるように折り返すことで、表裏両面で導通を確保しているため、従来のこの種のアースストラップより高い屈曲性を有している。
【００１０】
特に、ネジ孔を貫通するネジのワッシャーの縁部が、導電フィルム帯を折り返す際の折り返し端面より内側に位置するため、ネジを締めつけても導電層の破断が生じにくい。
【図面の簡単な説明】
【００１１】
【図１】本発明の実施の形態に係るアースストラップの概略的平面図である。
【図２】本発明の実施の形態に係るアースストラップの図面であって、同図（Ａ）は図１のＡ−Ａ線断面図、同図（Ｂ）は図１のＢ−Ｂ線断面図、同図（Ｃ）は図１のＣ−Ｃ線断面図である。
【図３】本発明の実施の形態に係るアースストラップを構成する導電フィルム帯の図面であって、同図（Ａ）は折り返し部を折り返す前の状態を示す概略的平面図、同図（Ｂ）は折り返し部を折り返す前の状態でかつ両面接着テープを取り付けた状態の概略的平面図である。
【図４】本発明の実施の形態に係るアースストラップの概略的分解側面断面図である。
【図５】本発明の実施の形態に係るアースストラップの概略的側面断面図である。
【図６】本発明の実施の形態に係るアースストラップとワッシャーとの関係を示す概略的平面図である。
【発明を実施するための形態】
【００１２】
なお、本発明に係るアースストラップ１００は、非常に薄いものであるため、実際の寸法比率で作図すると厚さ方向がまったくわからなくなるので、特に厚さ方向の寸法は極端に誇張して作図してある。
【００１３】
本発明に係るアースストラップ１００は、絶縁性フィルム１１１の一面に導電性を有する導電層１１２が形成された導電フィルム帯１１０と、この導電フィルム帯１１０の両端を導電層１１２を外側にして折り返す際に、内側に位置する絶縁性フィルム１１１同士を密着させる両面接着テープ１２０と、両端が折り返された導電フィルム帯１１０の表裏両面をカバーする絶縁性を有する保護フィルム帯１３０Ａ、１３０Ｂとを備えており、前記両面接着テープ１２０の端部１２１は、導電フィルム帯１１０の内側端部１１１ｂより折り返し端面１５０側に位置し、前記保護フィルム帯１３０Ａ、１３０Ｂは、絶縁性フィルム帯１１１の折り返された両端の外側一部をカバーしていない構成になっている。
【００１４】
前記導電フィルム帯１１０は、例えば、ＰＥＴ樹脂からなる絶縁性フィルム１１１の一面に導電層１１２として導電性を有する金属からなる金属層を形成したものである。この導電フィルム帯１１０は、図３に示すように、帯状の本体部１１０Ａと、この本体部１１０Ａの両端に折り返し部１１０Ｂが形成されている。本体部１１０Ａと折り返し部１１０Ｂとの境目は、折り返しが容易になるように、両側から切込部１１０Ｃが形成されているので、本体部１１０Ａと折り返し部１１０Ｂとの境目は他の部分より細く形成されている。
また、本体部１１０Ａと折り返し部１１０Ｂとには、折り返し部１１０Ｂを本体部１１０Ａに向かって折り返した際に重なり合う部分に、ネジ孔１４０となる開口部１１０ａ、１１０ｂがそれぞれ開設されている。
なお、前記金属層は、スパッタリング法、電子ビーム法、蒸着法等で形成することが可能である。
【００１５】
かかる導電フィルム帯１１０は、両端の折り返し部１１０Ｂを折り返した状態でアースストラップ１００となるが、折り返す前に導電層１１２が設けられていない面に両面接着テープ１２０が本体部１１０Ａの両端に取り付けられる（図３（Ｂ）参照）。
この両面接着テープ１２０は、導電フィルム帯１１０の両端の折り返し部１１０Ｂを導電層１１２を外側にして折り返した際に、折り返された折り返し部１１０Ｂを折り返した状態に維持するためのものである。
【００１６】
この両面接着テープ１２０は、一端がやや丸く形成され、幅寸法は導電フィルム帯１１０の本体部１１０Ａと同等に設定されている。ただし、この両面接着テープ１２０の長さ寸法は、折り返し部１１０Ｂの長さ寸法より短く設定されている。
従って、両面接着テープ１２０を導電フィルム帯１１０の導電層１１２が形成されていない側に取り付けて、折り返し部１１０Ｂを折り返しても、両面接着テープ１２０の端部１２１（図１において破線で示されている、図４等参照）は、折り返し部１１０Ｂの内側端部１１１ｂより折り返し端面１５０側に位置することになる。
なお、この両面接着テープ１２０にも、前記開口部１１０ａに対応した位置に開口部１２０ａが開設されている。
【００１７】
前記保護フィルム帯１３０Ａ、１３０Ｂは、例えば、ＰＥＴ樹脂からなる絶縁性フィルム１３１Ａ、１３１Ｂの一面に粘着剤を塗布した粘着層１３２Ａ、１３２Ｂを形成したものである。この保護フィルム帯１３０Ａ、１３０Ｂは、導電フィルム帯１１０より若干幅広の帯状に形成されている。また、この保護フィルム帯１３０Ａ、１３０Ｂの長さ寸法は、折り返し部１１０Ｂを折り返した状態の導電フィルム帯１１０をカバーすると、折り返された折り返し部１１０Ｂの開口部１１０ｂをカバーせず、かつ折り返された折り返し部１１０Ｂの対抗する内側端部１１１ｂ（図１において破線で示している）の間の距離より長く設定されている。
【００１８】
前記ネジ孔１４０は、このアースストラップ１００を電子機器の金属フレームとプリント基板とのようにグランディングが必要な部材の間を導通させる際に、ネジ（図示省略）が貫通される部分である。なお、上述したように、このネジ孔１４０は、導電フィルム帯１１０の本体部１１０Ａの開口部１１０ａと、導電フィルム帯１１０の折り返し部１１０Ｂの開口部１１０ｂと、両面接着テープ１２０の開口部１２０ａとが重なって構成されたものである。
【００１９】
このネジ孔１４０は、当該ネジ孔１４０を貫通するネジのワッシャー５００（図６において破線で示している）の縁部が、導電フィルム帯１１０を折り返す際の折り返し端面１５０より内側になる位置に開設されている。
前記ワッシャー５００の縁部が、導電フィルム帯１１０の折り返し端面１５０に重なると、折り返し端面１５０に位置する導電層１１２が、ネジの取り付けの際に部分的又は全体的に破断することがある。導電層１１２か部分的又は全体的に破断すると、抵抗値が大幅に増大するか又は不導通になり、グランディングが不完全になる。
【００２０】
このような構成部材からなるアースストラップ１００は、以下のようにして組み立てられる。
まず、図３（Ａ）に示す状態、すなわち、導電フィルム帯１１０の折り返し部１１０Ｂが折り返されていない状態の時に、本体部１１０Ａの両端部に開口部１１０ａ、１２０ａが重なるようにして両面接着テープ１２０を貼付する（図３（Ｂ）参照）。ただし、この両面接着テープ１２０は、導電層１１２が形成されていない側である絶縁性フィルム１１１側に貼付される。
【００２１】
そして、折り返し部１１０Ｂを導電層１１２が外側になるようにして折り返し、導電フィルム帯１１０の内側に位置する絶縁性フィルム１１１同士を両面接着テープ１２０によって密着させた状態で、折り返し部１１０Ｂを折り返した状態に維持する（図４参照）。
【００２２】
次に、この折り返し部１１０Ｂが折り返された状態の導電フィルム帯１１０を表裏両面から保護フィルム帯１３０Ａ、１３０Ｂでカバーする。保護フィルム帯１３０Ａ、１３０Ｂの粘着層１３１Ａ、１３１Ｂを導電フィルム帯１１０側に向けて、導電フィルム帯１１０を２枚の保護フィルム帯１３０Ａ、１３０Ｂでサンドイッチするのである（図５参照）。
【００２３】
ここで、保護フィルム帯１３０Ａ、１３０Ｂの幅寸法は、導電フィルム帯１１０の幅寸法より若干大きく設定されているため、導電フィルム帯１１０の両サイドで保護フィルム帯１３０Ａ、１３０Ｂ同士が密着状態で接着される（図１及び図２参照）。
また、保護フィルム帯１３０Ａ、１３０Ｂの長さ寸法は、折り返し部１１０Ｂが折り返された導電フィルム帯１１０をカバーすると、折り返された折り返し部１１０Ｂの開口部１１０ｂをカバーせず、かつ折り返された折り返し部１１０Ｂの対抗する内側端部１１１ｂの間の距離より長く設定されている。このため、保護フィルム帯１３０Ａ、１３０Ｂで導電フィルム帯１１０をカバーしても折り返し部１１０Ｂの開口部１１０ｂ、すなわちネジ孔１４０は閉塞することがなく、かつ折り返された折り返し部１１０Ｂの内側端部１１１ｂは確実にカバーすることになる。
【００２４】
しかも、両面接着テープ１２０の端部１２１は、導電フィルム帯１１０の折り返し部１１０Ｂの内側端部１１１ｂより内側に位置しているため、保護フィルム帯１３０Ａ、１３０Ｂでカバーする際に、折り返し部１１０Ｂの内側端部１１１ｂは、両面接着テープ１２０の厚さ寸法相当分だけ落ち込むことになる（図５参照）。
【００２５】
例えば、導電フィルム帯１１０の折り返し部１１０Ｂの内側端部１１１ｂを、両面接着テープ１２０の端部１２１と一致させると、その部分に応力が集中することになる。
また、このアースストラップ１００は極めて薄いため、外観と触覚において段差が非常に目立ってしまう。
しかし、両面接着テープ１２０の端部１２１は、導電フィルム帯１１０の折り返し部１１０Ｂの内側端部１１１ｂより内側に位置していると、応力の集中や目立つ段差を軽減することが可能になる。
【００２６】
一方、当該ネジ孔１４０を貫通するネジのワッシャー５００の縁部が、導電フィルム帯１１０を折り返す際の折り返し端面１５０より内側になるようにネジ孔１４０が開設されていると、ワッシャー５００の縁部による導電フィルム帯１１０の折り返し端面１５０の導電層１１２の部分的又は全体的な破断が生じないため、グランディングが不完全にならない。
例えば、厚さ寸法が１６．５μｍの導電フィルム帯１１０を用いたアースストラップ１００の場合、ワッシャー５００の縁部と、折り返し端面１５０との間が１ｍｍであった場合には抵抗値は約６９％増加し、２ｍｍであった場合には抵抗値は７％の増加ですむことが実験によって確認できた。
【符号の説明】
【００２７】
１００    アースストラップ
１１０    導電フィルム帯
１１１    絶縁性フィルム
１１１ｂ  内側端部
１１２    導電層
１２０    両面接着テープ
１２１    （両面接着テープの）端部
１３０Ａ、１３０Ｂ    保護フィルム帯
【図１】
0005194084.tif 000002
【図２】
0005194084.tif 000003
【図３】
0005194084.tif 000004
【図４】
0005194084.tif 000005
【図５】
0005194084.tif 000006
【図６】
0005194084.tif 000007